(57)【要約】【課題】家庭用／事業者用のゴミ集積場等に餌を求めてカラス等の害鳥が集まり、糞害やゴミをまき散らす等、不衛生であり、人に不快感を与えるという問題が生じているため、害鳥を追い払い寄せ付けない害鳥忌避装置を提供する。【解決手段】指向角が狭いビーム状の光を放射する複数個の光源を予め設定した軌道上に環状に配置し、各光源を一定間隔で周期的に点滅することにより光源が回転しているように見えるようにする、または各光源を不規則に点滅させることで害鳥が継続的に忌避する効果を高める事が出来る。【選択図】図１
0003202205.tif 000002
【実用新案登録請求の範囲】
【請求項１】
カラス等の害鳥が嫌がるビーム状の光を放射する光源を環状に複数個配置し、それら光源は、その本体中心付近に向けて内向き又は外向きに少し角度を付けた状態で取り付けられ、放射状に光を放射することを特徴とする害鳥忌避装置。
【請求項２】
前記環状に配置された複数個の光源のうち、ある光源が点灯・消灯した後、ほぼ一定間隔で隣の光源が点灯・消灯することを繰り返すことで順番に光源を点滅させ、あたかも光源が回転しているように見えることを特徴とする請求項１に記載の害鳥忌避装置。
【請求項３】
光センサーを付加し、明るい時間帯のみ前記複数個の光源が点滅するようにした請求項１〜２のいずれかに記載の害鳥忌避装置。
【請求項４】
光源が発光体に遮光性の高いチューブを被せる構造であることを特徴とする請求項１〜３のいずれかに記載の害鳥忌避装置。
【請求項５】
光源が発光体に集光レンズを被せる構造であることを特徴とする請求項１〜３に記載の害鳥忌避装置。
【請求項６】
光源の発光体が自己点滅型発光体であることを特徴とする請求項１および請求項３〜５のいずれかに記載の害鳥忌避装置。
【考案の詳細な説明】
【技術分野】
【０００１】
本考案は、光線を放射することでカラス等の害鳥が敬遠・忌避する害鳥忌避装置に関するものである。
【背景技術】
【０００２】
家庭用および事業者用のゴミ集積場等に餌を求めてカラス等の害鳥が集まり、糞害やゴミをまき散らす等、不衛生であり、人に不快感を与えるという問題が生じている。そのため害鳥を追い払い寄せ付けないための害鳥忌避装置が各種提案されている。
【０００３】
カラスなどの害鳥がゴミ集積場等のゴミをまき散らさないようにするため、網などを被せる、死骸に似せた物を吊るす、光を反射する物を使い乱反射した光を利用するなどの方法が取られている。これらの方法では、網の隙間からゴミを引き出したり、死骸に似せた物や光にすぐに慣れてしまう問題がある。また光を点滅させて忌避させる装置も提案されている。ただ光を単純に点滅させる装置では一時的にカラスを忌避させる効果はあるが、すぐに慣れて再びカラスは集まって来てしまい、継続的な効果を得ることができない。また、センサーを使いカラスが寄ってきた時に発光や音で威嚇する装置もあるが、街中では人や他の物に反応する、騒音などの問題が起きる可能性がある。
【０００４】
カラスはレーザーポインターでレーザー光線を照射すると撃退できることが知られており、レーザー装置を回転する台座に固定し、カラスが集まる所にレーザー光を放射するように取り付け、カラスが忌避するかの実験を行ったところ、カラスが寄り付かなくなったことが確認できた。
【０００５】
しかしレーザー光線を利用した装置は、レーザー光が人の目に当たると目に障害を起こす恐れがあり、また高価である等の理由により商品化された例はない。そのためレーザー装置を用いずＬＥＤで実験したところ、ＬＥＤを単に点灯させた指向角の広い光より、指向角が狭いビーム状の光の方がカラスの忌避効果が高いことが実験により確認できた。
【０００６】
特許文献１には、赤色、緑色又は両者の中間の色のうちの１色又は２色以上のＬＥＤと、青色又は紫色のうちの１色又は２色以上のＬＥＤを点滅させることで、害鳥獣に刺激・不快感を与える効果が記載されている。また、特許文献２にも赤色、青色、黄色、紫色の複数色のＬＥＤを点滅させることで害鳥を忌避させる効果が記載されている。どちらの文献も点滅パターンは複数個用意し、慣れの防止効果を高めている。ただし、両文献とも、光の回転効果及び光をビーム状に絞る効果について触れていない
【先行技術文献】
【特許文献】
【０００７】
【特許文献１】特開２０１２−２３１７３６号公報
【特許文献２】特開２０１４−２７８９２号公報
【考案の概要】
【考案が解決しようとする課題】
【０００８】
解決しようとする課題は、家庭用／事業者用ゴミ集積場等にカラスなどの害鳥が集まってくる場所に容易に設置でき、安全で長期間継続的にカラスなどの害鳥を忌避させる装置を提案することである。
【課題を解決するための手段】
【０００９】
本考案は、ビーム状の光を放射する光源（例えばＬＥＤ、パワーＬＥＤなど）を環状にほぼ等間隔で複数個配置し、それら光源は、環状の中心付近に向けて少し角度を付けた状態で取り付けられている。光源は環状の中心付近の内側又は外側に方向と角度を定めて向けられており、放射状に光を空間に放射する。またある光源が点灯・消灯した後、ほぼ一定間隔で隣の光源が点灯・消灯することを繰り返すことで順番に光源を点滅させ、あたかも光源が回転しているように見える効果を与え、カラス等の害鳥に違和感や不快感を与える。また、害鳥が慣れるのを防ぐため各光源がランダムに点滅するパターンも準備する。
例えば、光源を円形状に配置する場合の光源の個数をあげておく。
直径１０センチメートルの円の場合、７〜１０個
直径５センチメートルの円の場合、５〜８個
直径３センチメートルの円の場合、３〜６個
なお、これらの個数は一例であり、これに限定されるものではない。
【００１０】
点滅パターンは、装置に内蔵した制御回路により複数個準備されており、選択可能である。そのため同じパターンの繰り返しではないため、慣れを防ぎ長期間効果を得られる。
【００１１】
また広がりのある光を使用するのではなく、忌避効果の高いビーム状の光を使用する。光源として発光体を発光体より少し長めの円筒状の光を通さない素材のチューブ等で覆う。チューブで覆うことで光の散乱を防ぎ、害鳥に効果のあるビーム状の光を得ることができる。
【００１２】
光の回転効果を得るために複数個の光源を順番に点滅させることで、光源自体をモーター等で回転させることと比較すると消費電力が削減でき、電池でもより長時間の動作が可能となる。
【００１３】
このことによりモーターおよび駆動回路などが不要で、小型化・軽量化及び電池で動作も可能なことから設置場所の制限が緩和され、設置可能な場所が大きく広がる。また、部品点数も削減でき安価に製作することができる。
【考案の効果】
【００１４】
本考案の忌避装置は、ビーム状の光を点滅させることであたかも光源が回転しているように見える効果を与えることにより、カラスなど害鳥の寄り付きを防ぐ効果がある。また点滅パターンも複数個具備することにより、その効果を長期間継続させることができる。
【図面の簡単な説明】
【００１５】
【図１】本発明に係る実施例１の外形図
【図２】実施例１における光源の台座の平面図
【図３】実施例１における光源の台座の正面図
【図４】実施例１におけるチューブを被せた光源の断面図
【図５】光センサーを付加した実施例２の外観図
【図６】集光レンズを被せた実施例３の外観図
【図７】集光レンズを被せ、光センサーを付加した実施例４の外観図
【図８】自己点滅型の光源を使用した実施例５の外観図
【考案を実施するための形態】
【００１６】
本発明に係る害鳥忌避装置の実施例を図１〜図８を用いて説明する。
【実施例１】
【００１７】
第１の実施例を図１を用いて説明する。図１は、本考案装置の実施例１の外形図である。電池および制御回路が入った制御部３の上部には、複数個の光源を取り付けるための台座２が設けられている。図１では、その台座２に８個の光源１ａから１ｈが取り付けられている。また、防水や光源の保護のため、光源および台座全体を例えば透明のプラスチック製のカバー４で覆っている。
【００１８】
台座２は、図３に示すように光源を取り付ける箇所が傾いており、複数個の光源が光を放射状に放射できる構造になっている。また、図１では台座２の内側に光源１ａから１ｈを取り付けているが、外側にも取り付け可能である。その場合は、光の放射は、本体中心付近に向けた内側方向ではなく、外側に向けて放射状に放射される。図２、図３では、８個の光源を取り付けることとしているが、数を限定しているわけではなく、複数個使用し環状に配置すればよい。
また、図３では台座２が斜めに傾いた形状となっているが、直角にして外側に向けて光源を取り付けることによって、横方向に光を放射するようにしてもよい。
【００１９】
図４は、光源１ａから１ｈの断面図を示す。発光体５は、例えば赤色高輝度ＬＥＤを使用し、発光体５に遮光性の高いチューブ６を被せている。チューブ６の長さは発光体５の高さより少し長めになっている。こうすることで、光をビーム状に絞って放射することが可能となる。
なお、図４ではチューブ６の形状が発光体を超えた部分を細くしているが、光の指向角を狭くしてビーム状にする形状であれば良く、細くしないで円筒状にするなど形状を限定するものではない。
また、発光体５の色は限定しているわけではなく、赤色、緑色、紫外線など各害鳥が忌避する効果的な色または光線を選択する。
【００２０】
台座２に取り付けられた光源１ａから１ｈは、順番にほぼ一定間隔で点滅するように制御されており、あたかも光源が回転しているように見える効果を与えている。
【００２１】
上記に述べた、刺激を与える色とビーム状の光と光源の点滅の組合せにより、継続的にカラスなどの害鳥に違和感や不快感を与え忌避する効果を得る。
【００２２】
次に点滅パターンの一例を表１に示す。制御部３に入っている制御回路には点滅パターンとして、４つある項目に対して２種類の選択肢が準備されており、組合せにより計１６パターンある。その中から一つが選択できるようになっている。選択するパターンを変更することで、害鳥が慣れにくくなり長期的に追い払う効果を継続することができる。なお、これらの点滅パターンは表１に限定されるものではない。
【表１】
0003202205.tif 000003
【００２３】
実施例１の害鳥忌避装置は、小型で電池での動作が可能なため容易に設置することができる。例えば、ゴミ集積場で使用する場合、ゴミ収集日のみ設置し、ゴミ収集が終われば装置を回収するなどの設置方法も容易に可能となる。
【実施例２】
【００２４】
第２の実施例を図５を用いて説明する。図５の実施例２は、図１の実施例１に光センサー７を付加した害鳥忌避装置である。カラス等の害鳥の多くは夜間には活動しないため、明るい時間帯のみ点滅、暗い時間帯では消灯を自動的に切り替えるようにし、より長時間の電池での動作を可能としている。
【実施例３】
【００２５】
第３の実施例を図６を用いて説明する。図６の実施例３は、光源８ａから８ｈが発光体にチューブではなく集光レンズを被せたものに変更したものである。集光レンズを使用することでより高輝度のビーム状の光を得られ、光の拡散を抑制し、光の到達距離も伸ばすことができる。装置の動作は、実施例１と同様である。
【実施例４】
【００２６】
第４の実施例を図７を用いて説明する。図７の実施例４は、図６の実施例３に光センサー７を付加したもので、実施例２と同様、より長時間の電池での動作を可能としている。
【実施例５】
【００２７】
第５の実施例を図８を用いて説明する。図８の実施例５は、実施例１から実施例４に用いた光源の発光体を自己点滅型発光体（例えば自己点滅型高輝度ＬＥＤ）に置き換えたもので、電池のみ内蔵した電源部１０と、プリント基板１１に取り付けた光源９ａから９ｆを具備している。実施例１から実施例４では必要とされた制御回路を無くしたことから、光源が回転しているように見える効果や複数の点滅パターンを選択することはできないが、各自己点滅型発光体は独立して点滅するため不規則な点滅パターンとなり、より安価に製作できるものである。また、電源部１０の上部に複数個の光源を実装したプリント基板が取り付けられている。それら光源はプリント基板上に環状に配置され、光軸が外向きに放射状に光を放射するよう取り付けられている。各光源の点滅周期にはばらつきがあるため、６個の光源の点滅タイミングにずれが生じ、光源が回転しているように見えたり、各光源がランダムに点滅するなど不規則な点滅パターンが発生する。この不規則な点滅パターンが害鳥に対し忌避効果を生じさせ、さらに慣れを防ぎ効果を継続させることができる。
なお、光源の数は光源を配置する環状の大きさや害鳥の忌避範囲により数量を決定すればよく、６個に限定されるものではない。
【符号の説明】
【００２８】
１ａ〜１ｈ  チューブを使用した光源
２    台座
３    制御部
４    カバー
５    発光体
６    遮光チューブ
７    光センサー
８ａ〜８ｈ  集光レンズを使用した光源
９ａ〜９ｆ  自己点滅型発光体を使用した光源
１０  電源部
１１  プリント基板
【図１】
0003202205.tif 000004
【図２】
0003202205.tif 000005
【図３】
0003202205.tif 000006
【図４】
0003202205.tif 000007
【図５】
0003202205.tif 000008
【図６】
0003202205.tif 000009
【図７】
0003202205.tif 000010
【図８】
0003202205.tif 000011
【手続補正書】
【提出日】平成27年11月25日(2015.11.25)
【手続補正１】
【補正対象書類名】実用新案登録請求の範囲
【補正対象項目名】全文
【補正方法】変更
【補正の内容】
【実用新案登録請求の範囲】
【請求項１】
カラス等の害鳥が嫌がるビーム状の光を放射する光源を環状に複数個配置し、それら光源は、その本体中心付近に向けて内向き又は外向きに少し角度を付けた状態で取り付けられ、放射状に光を放射することを特徴とする害鳥忌避装置。
【請求項２】
前記環状に配置された複数個の光源のうち、ある光源が点灯・消灯した後、ほぼ一定間隔で隣の光源が点灯・消灯することを繰り返すことで順番に光源を点滅させる制御回路を有し、あたかも光源が回転しているように見えることを特徴とする請求項１に記載の害鳥忌避装置。
【請求項３】
光センサーを付加し、明るい時間帯のみ前記複数個の光源が点滅するようにした請求項１〜２のいずれかに記載の害鳥忌避装置。
【請求項４】
光源が発光体に遮光性の高いチューブを被せる構造であることを特徴とする請求項１〜３のいずれかに記載の害鳥忌避装置。
【請求項５】
光源が発光体に集光レンズを被せる構造であることを特徴とする請求項１〜３のいずれかに記載の害鳥忌避装置。
【請求項６】
光源の発光体が自己点滅型発光体であることを特徴とする請求項１、３〜５のいずれかに記載の害鳥忌避装置。